(57)【特許請求の範囲】
【請求項１】
インクを吐出する記録ヘッドを備え所定の方向に移動可能なヘッドユニットと、
前記ヘッドユニットを収容する記録ユニットと、
前記記録ユニットの外側に設けられるインクタンクと、
前記インクタンクと前記ヘッドユニットに両端が接続され、前記インクタンク内のインクを前記記録ヘッドへと導き、可撓性を有し、前記ヘッドユニットの前記移動に伴って追従変形する変形可動部を有するインクチューブと、
前記記録ユニットの側面に設けられ、前記インクチューブを該記録ユニットの外部に出すチューブ用貫通部と、
前記インクタンク外面と前記記録ユニットの側面との間に設けられ、前記インクチューブの前記チューブ用貫通部から外部に出ている部分を収容するチューブ収容部と、を備え、
前記インクタンクは、装着状態において、前記インクチューブとの接続部が前記インクチューブの前記変形可動部を成す延設部を延設方向に延設させて前記記録ユニットの外側にまで延長したと想定した場合に占める領域に対して平面視でずれて位置している、ことを特徴とする記録装置。
【請求項２】
請求項１に記載された記録装置において、
前記チューブ用貫通部は、平面視で前記延設部の前記想定した場合に占める領域と前記接続部との間に位置する、ことを特徴とする記録装置。
【請求項３】
請求項２に記載された記録装置において、
前記インクチューブは、前記変形可動部の可動側端部から前記チューブ用貫通部側に延設される部分が、平面視で前記変形可動部を成す延設部の延設方向に延設させた後前記チューブ用貫通部に対応する位置に軌道修正されて延設されている、ことを特徴とする記録装置。
【請求項４】
請求項１から３のいずれか一項に記載された記録装置において、
前記接続部は前記インクタンクの下部に位置し、
前記インクチューブは、前記記録ユニットの前記側面の内面に沿って上方に延設され、前記チューブ用貫通部を通って外部に出て、下方に延びて前記接続部に接続されている、ことを特徴とする記録装置。
【請求項５】
請求項４に記載された記録装置において、
前記チューブ用貫通部は、前記インクチューブの該チューブ用貫通部を通る部分を前記接続部の方向に誘導するガイド構造部を備える、ことを特徴とする記録装置。
【請求項６】
請求項５に記載された記録装置において、
前記ガイド構造部は、
前記チューブ用貫通部の下縁を成して前記インクチューブを前記記録ユニットの内側から外側に向かって斜め上方に誘導する上方誘導部と、
前記チューブ用貫通部の前記接続部側の側縁を成して前記インクチューブを前記記録ユニットの内側から外側であって且つ平面視で前記接続部の在る方向に向かって斜め側方に誘導する側方誘導部とを備える、ことを特徴とする記録装置。
【請求項７】
請求項６に記載された記録装置において、
前記ガイド構造部は、
前記チューブ用貫通部の前記側方誘導部と反対側に設けられ、前記インクチューブが前記側方誘導部の誘導方向と反対側に移動することを規制する第１移動規制部と、
前記上方誘導部と前記側方誘導部が作るコーナー部に設けられ、該コーナー部に前記インクチューブが移動することを規制する第２移動規制部と、を備えることを特徴とする記録装置。
【請求項８】
請求項４に記載された記録装置において、
前記インクチューブは、複数本のインクチューブが一体に構成された帯状の多連チューブ、又は複数本のインクチューブが拘束具によって一体化された拘束チューブである、ことを特徴とする記録装置。
【請求項９】
インクを吐出する記録ヘッドを備え所定の方向に移動可能なヘッドユニットと、
前記ヘッドユニットを収容する記録ユニットと、
前記記録ヘッドで記録された被記録材を排出する排出口と、
前記記録ユニットの外側に設けられるインクタンクと、
前記インクタンク内のインクを前記記録ヘッドへと導き、可撓性を有し、前記ヘッドユニットの前記移動に伴って追従変形する変形可動部を有するインクチューブと、
前記記録ユニットの前記排出口を備える面を前面とし、前記記録ユニットの側面に設けられ、前記インクチューブを該記録ユニットの外部に出すチューブ用貫通部と、
前記インクタンク外面と前記記録ユニットの側面との間に設けられ、前記インクチューブの前記チューブ用貫通部から外部に出ている部分を収容するチューブ収容部と、を備え、
前記インクタンクは、装着状態において、前記インクチューブとの接続部が前記インクチューブの前記変形可動部を成す延設部を延設方向に延設させて前記記録ユニットの外側にまで延長したと想定した場合に占める領域に対して前記記録ユニットの後方側にずれて位置している、ことを特徴とする記録装置。
【請求項１０】
請求項１から請求項９のいずれか一項に記載された記録装置において、前記記録ユニットは、装置外郭をなすハウジングであることを特徴とする記録装置。
【発明の詳細な説明】
【技術分野】
【０００１】
本発明は、インクを吐出する記録ヘッドを備え所定の方向に移動可能なヘッドユニットと、前記ヘッドユニットを収容し、装置外郭を成すハウジングと、前記ハウジングの外側の側面に着脱可能に装着されるインクタンクと、前記インクタンクと前記ヘッドユニットに両端が接続され、前記インクタンク内のインクを前記記録ヘッドへと導く、可撓性を有するインクチューブであって、前記ヘッドユニットの前記移動に伴って追従変形する変形可動部を有するインクチューブとを備えた構成のインクジェットプリンター等の記録装置に関するものである。
【背景技術】
【０００２】
この種の記録装置の従来技術として、下記の特許文献１や特許文献２に記載されているものが挙げられる。  
これらの記録装置では、インクチューブは、ハウジング側面の貫通口を通ってハウジング外部に延出され、該ハウジングの外部に位置するインクタンクとの接続部に接続されている。
【先行技術文献】
【特許文献】
【０００３】
【特許文献１】国際公開Ｗ０２００９／１１９０８４公報
【特許文献２】特開２００５−００１２８４号公報
【発明の概要】
【発明が解決しようとする課題】
【０００４】
上記従来の記録装置では、インクチューブのハウジング外部に延出されている部分は露呈状態にあり、それを所定の部位に収容することに関しては考慮されていない。そのため、ユーザーが露呈状態のインクチューブに不用意に触れる虞があり、使い勝手が悪いと言う問題があった。
【０００５】
本発明の目的は、インクチューブのハウジング外部に延出されている部分にユーザーが不用意に触れる虞が少ない記録装置を提供することにある。
【課題を解決するための手段】
【０００６】
本発明に係る記録装置の第１の態様は、インクを吐出する記録ヘッドを備え所定の方向に移動可能なヘッドユニットと、前記ヘッドユニットを収容し、装置外郭を成すハウジングと、前記ハウジングの外側の側面に着脱可能に装着されるインクタンクと、前記インクタンクと前記ヘッドユニットに両端が接続され、前記インクタンク内のインクを前記記録ヘッドへと導く、可撓性を有するインクチューブであって、前記ヘッドユニットの前記移動に伴って追従変形する変形可動部を有するインクチューブと、前記ハウジングの前記側面に設けられ、前記インクチューブの前記インクタンク側の部分を該ハウジングの外部に出すチューブ用貫通部と、前記インクチューブの前記チューブ用貫通部から外部に出ている部分を、前記インクタンクの前記装着状態において収容するチューブ収容部とを備えるものである。  
ここで、チューブ用貫通部とチューブ収容部は、インクチューブの延設経路としては連続してつながる構造であり、両者の間に境界位置が物理的に存在しているわけではない。
【０００７】
本態様によれば、着脱自在なインクタンクがハウジングの外側の側面に装着された状態において、インクチューブのチューブ用貫通部から外部に出ている部分を収容するチューブ収容部67を備えている。従って、インクチューブのハウジング外部に延出されている部分は、露呈状態ではなくチューブ収容部内に収容された状態となり、ユーザーが不用意に触れる虞が低減され、使い勝手が改善される。
【０００８】
本発明に係る記録装置の第２の態様は、第１の態様において、前記チューブ収容部は、前記装着状態の前記インクタンク外面と前記ハウジングの側面の外面との間に設けられていることを特徴とする。  
即ち、前記インクタンク外面と前記ハウジングの側面9の外面（プリンター本体の外側）との間のスペースを活用して当該スペースにチューブ収容部が設けられている。
【０００９】
本態様によれば、チューブ収容部の設置場所を装置が大型化することなく容易に確保することができる。また、当該チューブ収容部の場所が外部から目立たない状態になるので、記録装置の外観の質的低下を抑制することができる。
【００１０】
本発明に係る記録装置の第３の態様は、第２の態様において、前記インクタンクは、前記装着状態において、前記インクチューブとの接続部が前記インクチューブの前記変形可動部を成す延設部を延設方向に延設させて前記ハウジングの外側にまで延長したと想定した場合に占める領域に対して平面視でずれて位置していることを特徴とする。即ち、インクチューブとの接続部がインクチューブの変形可動部を成す延設部の位置に対して平面視で例えば装置後方側にずれて配置されている。
【００１１】
本態様によれば、チューブ収容部内に収容されるインクチューブの全長を前記ずれの分だけ長くすることができるので、該チューブ収容部をハウジングから外して例えばインクの補給作業を行う場合等において作業がし易い。
【００１２】
本発明に係る記録装置の第４の態様は、第３態様において、前記チューブ用貫通部は、平面視で前記延設部の前記想定した場合に占める領域と前記接続部との間に位置することを特徴とする。  
ここで「間に位置する」とは、三者（「占める領域」と「チューブ用貫通部」と「接続部」）が各境界でオーバーラップしている構造も含む意味で使われている。  
本態様によれば、インクチューブの配設がし易いと共に、該インクチューブに無理な姿勢を取らせずに済む。
【００１３】
本発明に係る記録装置の第５の態様は、第４態様において、前記インクチューブは、前記変形可動部の可動側端部から前記チューブ用貫通部側に延設される部分が、平面視で前記変形可動部を成す延設部の延設方向に延設させた後前記チューブ用貫通部に対応する位置に軌道修正されて延設されていることを特徴とする。  
【００１４】
本態様によれば、前記軌道修正によってチューブ用貫通部をインクチューブが正面からストレートに通って外部に出ることが可能になるので、該チューブ貫通部に対してインクチューブの配設がし易いと共に、該インクチューブに無理な姿勢をとらせないで済む。
【００１５】
本発明に係る記録装置の第６の態様は、第３態様から第５の態様のいずれか一つの態様において、前記接続部は前記インクタンクの下部に位置し、前記インクチューブは、前記ハウジングの前記側面の内面に沿って上方に延設され、前記チューブ用貫通部を通って外部に出て、下方に延びて前記接続部に接続されていることを特徴とする。  
【００１６】
本態様によれば、インクチューブはチューブ用貫通部を上下方向に対して略逆Ｕ字形状を成して内側から外側に出る。即ち、インクチューブは前記ハウジングの側面に対して内面及び外面の両方において沿う状態で延設される。これにより、インクチューブの前記逆Ｕ字形状部分はハウジングの側面を挟む形状となって存在することで、該ハウジングがインクチューブの支持部材となり、当該インクチューブの安定した配設状態を実現することができる。
【００１７】
本発明に係る記録装置の第７の態様は、第６態様において、前記チューブ用貫通部は、前記インクチューブの該チューブ用貫通部を通る部分を前記接続部の方向に誘導するガイド構造部を備えることを特徴とする。
【００１８】
本態様によれば、ガイド構造部がインクチューブの該チューブ用貫通部を通る部分を前記接続部の方向に誘導するので、インクタンクをハウジングから外した後、再び装着する際に、インクチューブは前記ガイド構造部による誘導作用を受けてチューブ収容部に収容される。すなわち、ユーザーはインクタンクをハウジングに装着するだけでインクチューブは前記誘導作用によって前記チューブ収容部内に自動的に収容される。  
従って、インクチューブをチューブ収容部内に押し込むような面倒な作業を減らすことができる。また、チューブ用貫通部からチューブ収容部の領域においてインクチューブが折れ曲がったり周囲の構造部材に挟み込まれたりする虞を低減することができる。
【００１９】
本発明に係る記録装置の第８の態様は、第７態様において、前記ガイド構造部は、前記チューブ用貫通部の下縁を成して前記インクチューブを前記ハウジングの内側から外側に向かって斜め上方に誘導する上方誘導部と、前記チューブ用貫通部の前記接続部側の側縁を成して前記インクチューブを前記ハウジングの内側から外側であって且つ平面視で前記接続部の在る方向に向かって斜め側方に誘導する側方誘導部とを備えることを特徴とする。
【００２０】
本態様によれば、前記ガイド構造部の前記誘導作用を、チューブ用貫通部の下縁を成す上方誘導部（斜め上方に誘導）と側縁を成す側方誘導部（斜め側方に誘導）による簡単な構造で実現することができる。
【００２１】
本発明に係る記録装置の第９の態様は、第８態様において、前記ガイド構造部は、前記チューブ用貫通部の前記側方誘導部と反対側に設けられ、前記インクチューブが前記側方誘導部の誘導方向と反対側に移動することを規制する第１移動規制部と、前記上方誘導部と前記側方誘導部が作るコーナー部に設けられ、該コーナー部に前記インクチューブが移動することを規制する第２移動規制部とを備えることを特徴とする。
【００２２】
本態様によれば、チューブ用貫通部からチューブ収容部の領域においてインクチューブが折れ曲がったり周囲の構造部材に挟み込まれたりする虞を一層低減することができる。
【００２３】
本発明に係る記録装置の第１０の態様は、第６態様において、前記インクチューブは、複数本のインクチューブが一体に構成された帯状の多連チューブ、又は複数本のインクチューブが拘束具によって一体化された拘束チューブであることを特徴とする。
【００２４】
本態様によれば、多連チューブを採用した場合には、インクチューブの剛性が増大するからインクチューブの折れ曲がりと挟み込みが一層生じなくなる。  
また、拘束チューブを採用した場合には、拘束された複数本のインクチューブの個別の移動が防止されるからインクチューブの折れ曲がりと挟み込みが一層生じなくなる。
【図面の簡単な説明】
【００２５】
【図１】本発明の実施例に係るインクジェットプリンターを示す斜視図。
【図２】同実施例に係るインクジェットプリンターのスキャナーを省略した状態の斜視図。
【図３】同実施例に係るインクジェットプリンターのスキャナーを省略した状態の平面図。
【図４】同実施例に係るインクジェットプリンターのインクタンクを省略した状態の側面図。
【図５】同実施例に係るチューブ用貫通部の部分を示すインクタンクを装着した状態のプリンター本体側からの斜視図。
【図６】同実施例に係るチューブ用貫通部の部分を示すインクタンクをハウジングから外した状態のインクタンク側からの斜視図。
【図７】同実施例に係るチューブ用貫通部の部分を示す図６中のＡ部の拡大斜視図。
【図８】同実施例に係るチューブ用貫通部の部分を示すインクタンクを装着した状態のインクタンク側からの斜視図。
【図９】同実施例に係るチューブ用貫通部の部分を示す図８中のＢ−Ｂ線で破断した状態の拡大斜視図。
【図１０】同実施例に係るチューブ用貫通部の部分を示す図８中のＣ部を拡大して示すインクチューブとインクタンクを省略した状態の斜視図。
【図１１】同実施例に係るインクジェットプリンターにおいて使用可能なインクチューブの態様を示す横断面図。
【発明を実施するための形態】
【００２６】
最初に、図１〜図４に基づいて、本発明に係る記録装置の一実施例であるインクジェットプリンターの概略構成について先ず説明する。  
【００２７】
本実施例に係るインクジェットプリンター１は、インクを吐出する記録ヘッド５を備え所定の方向に移動可能なヘッドユニット７と、前記ヘッドユニット７を移動可能に収容し、該プリンター１の外郭すなわちプリンター本体を成すハウジング（以下において「プリンター本体」と言うこともある）２と、前記ハウジング２の側面９の外面に着脱可能に装着されるインク貯留部となるインクタンク１１と、前記インクタンク１１と前記ヘッドユニット７に両端が接続され、前記インクタンク１１内のインクを前記記録ヘッド５へと導く、可撓性を有するインクチューブであって、前記ヘッドユニット７の前記移動に伴って追従変形する変形可動部３を有するインクチューブ１３とを備えている。
【００２８】
また、図示実施例のインクジェットプリンター１は、ハウジング２の上方にスキャナー１５を搭載した複合型のインクジェットプリンターである。  
このインクジェットプリンター１は、上部に前述したスキャナー１５を開閉自在に配置すると共に、該スキャナー１５の後部に被記録材（以下、「用紙」ともいう）Ｐを給紙するための幅方向Ｂに延びる給紙口１７が設けられている。
【００２９】
また、プリンター本体２の前面パネルの一部を矩形状に開口して、記録実行後の用紙Ｐを当該プリンター１の前側に排紙するための幅方向Ｂに延びる排紙口１９が設けられている。  
また、前記排紙口１９の上方には操作パネル２１が設けられており、インクジェットプリンター１の各種の操作がこの操作パネル２１を使用することによって実行できるように構成されている。
【００３０】
プリンター本体２の内部には、用紙Ｐの被記録面にインクを吐出して記録を実行するための記録ヘッド５を含む記録実行系の諸部材と、前記給紙口１７から給紙された用紙Ｐを前記記録ヘッド５の下方の記録実行領域２３に導いて前記排紙口１９から外部に排紙させる図示しない搬送系の諸部材と、前記記録ヘッド５に各色、例えばシアン（Ｃ）、マゼンタ（Ｍ）、イエロー（Ｙ）、ブラック（Ｋ）のインクを供給するためのインクチューブ１３を含むインク供給系の諸部材の一部が配設されている。
【００３１】
記録実行系の諸部材としては、前記各色のインクを個別に吐出するノズル開口を各別に備えた記録ヘッド５と、該記録ヘッド５を下面に搭載して用紙Ｐの搬送方向Ａと交差する幅方向Ｂを走査方向としてホームポジションとリターンポジションとの間で往復移動するヘッドユニット本体２５とを備えるヘッドユニット７と、該ヘッドユニット７を幅方向Ｂに沿って往復移動させるための図示しないガイド機構及び駆動機構とが設けられている。
【００３２】
搬送系の諸部材としては、図示は省略するが、給紙口１７に挿入された用紙Ｐを一枚ずつ自動的に搬送経路に導くための自動給紙装置と、搬送経路に導かれた用紙Ｐを挟持して記録実行領域２３に向けて当該用紙Ｐを搬送する一対のニップローラーによって構成される搬送用ローラーと、記録が実行された用紙Ｐを排紙口１９に向けて搬送し外部に排紙するための同じく一対のニップローラーによって構成される排出用ローラーとを備えることによって構成されている。
【００３３】
インク供給系の諸部材としては、前記ヘッドユニット７に装着され、前記記録ヘッド５に前述した各色のインクを供給するためのカートリッジ式のアダプター２７と、該アダプター２７に一端が接続され、他端がハウジング２の一例として図３中、右側の壁面９の外側に装着されているインクタンク１１の接続部２９（図３）に接続されている一例として４本のインクチューブ１３Ｃ、１３Ｍ、１３Ｙ、１３Ｋと、該４本のインクチューブ１３Ｃ、１３Ｍ、１３Ｙ、１３Ｋに各色のインクを供給するための着脱可能なインクタンク１１とが設けられている。
【００３４】
尚、前記アダプター２７に一端が接続されているインクチューブ１３は、変形可動部３のＵ字反転部３１において下方にＵ字反転した後、排紙口１９の上方においてプリンター本体２内で水平に支持されている支持部材３３の上面を幅方向Ｂに沿わせて前記右側の壁面９に向けて延設されている。  
また、前記インクチューブ１３の第１延設部１３ａの一例として中央より幾分右側の位置には、前記インクチューブ１３のＵ字反転の可動側端部（起点）３５となるチューブ支持板３５（可動側端部と同じ符号３５を用いる）が上方から宛がわれて固定ネジ３７によって前記支持部材３３上に固定されている。
【００３５】
また、前記インクチューブ１３の第１延設部１３ａの終端には、継手３９が取り付けられており、該継手３９の内方に突出しているプラグ４１に前記インクチューブ１３の第１延設部１３ａの終端が嵌め込まれている。  
前記継手３９には外方に突出しており、前記プラグ４１と連通している他のプラグ４３が設けられており、該プラグ４３にインクチューブ１３の第２延設部１３ｂの一端が嵌め込まれ、軌道修正部４５によってインクタンク１１の接続部２９側に幾分軌道が修正された後、当該インクチューブ１３の第２延設部１３ｂは、前記プリンター本体２の側面９から外部に延出されている。
【００３６】
また、前記プリンター本体２の側面９の上部には、前述したインクタンク１１の装着面４７の上部コーナー部に設けられている係合フック４９と係合する係合穴５１が設けられている。  
そして、前記プリンター本体２の側面９の部分を利用して前記インクタンク１１との間に以下、詳述する本発明に係るインクチューブ１３のチューブ収容部６７が設けられている。
【００３７】
［実施例］（図４−図１１参照）
本実施例に係るインクジェットプリンター１は、前記ハウジング２の前記側面９に設けられ、前記インクチューブ１３の前記インクタンク１１側の部分を該ハウジング２の外部に出すチューブ用貫通部５３を備えている。そして、前記インクチューブ１３の前記チューブ用貫通部５３から外部に出ている部分を、前記インクタンク１１の前記装着状態において収容するチューブ収容部６７（図２）を備えている。該チューブ収容部６７は内部にインクチューブを収容するためのスペースを有している。  
前記チューブ用貫通部５３とチューブ収容部６７は、インクチューブ１３の延設経路としては連続してつながる構造である。従って、該チューブ用貫通部５３とチューブ収容部６７との間に境界位置が物理的に存在していない。
【００３８】
これにより、インクチューブ１３のハウジング２の外側に延出されている部分は、露呈状態ではなく当該チューブ収容部６７内に収容された状態となる。従って、ユーザーがインクチューブ１３のハウジング２の外側に延出されている部分に不用意に触れる虞が低減され、使い勝手が改善される。
【００３９】
本実施例では、前記チューブ収容部６７は、前記ハウジング２に装着された状態の前記インクタンク１１の外面である前記装着面４７と前記ハウジング２の側面９の外面との間に設けられている。即ち、前記インクタンク１１の外面と前記ハウジング２の側面９の外面（プリンター本体の外側）との間のスペースを活用して、当該スペースにチューブ収容部６７が設けられている。  
【００４０】
前記スペースを利用することにより、チューブ収容部６７の設置場所をインクジェットプリンター１が大型化することなく容易に確保することができる。また、外観としてはインクタンク１１がハウジング２に装着された状態のインクジェットプリンターが見えるだけで、当該チューブ収容部６７の場所は外部から目立たないので、当該インクジェットプリンター１の外観の質的低下を抑制することができる。
【００４１】
尚、チューブ収容部６７の設置場所は、上記のスペースに限定されない。前記実施例の変形例として、例えば、インクタンク１１の前記ハウジング２と対向する面（装着面４７）ではなく、対向しない側面に収容室を設け、該収容室をチューブ収容部６７とすることも可能である。
【００４２】
前記インクタンク１１は、前記ハウジング２に装着された状態において、前記インクチューブ１３との接続部２９が以下の位置になるように構成されている。即ち、前記接続部２９は、前記インクチューブ１３の前記変形可動部３を成す第１延設部１３ａを延設方向Ｄに延設させて前記ハウジング２の外側にまで延長したと想定した場合に占める領域に対して平面視でずれて位置している。  
即ち、前記接続部２９は、インクチューブ１３の変形可動部３を成す第１延設部１３ａの位置に対して平面視で当該インクジェットプリンター１の後方側にずれて配置されている。
【００４３】
前記「ずれ」によって、チューブ収容部６７内に収容されるインクチューブ１３の全長を前記ずれの分だけ長くすることができる。これにより、該チューブ収容部６７をハウジング２から外して例えばインクの補給作業を行う場合等において作業がし易くなる。
【００４４】
尚、前記「ずれ」を設けずに、前記想定した場合に占める領域の下方に接続部２９を位置させる構造であってもよい。
【００４５】
前記接続部２９は、前記インクタンク１１の下部に位置している。そして、前記インクチューブ１３は、前記ハウジング２の前記側面９の内面に沿って上方に延設され、前記チューブ用貫通部５３を通って外部に出て、下方に延びて前記接続部２９に接続されている。これにより、インクチューブ１３はチューブ用貫通部５３を上下方向に対して略逆Ｕ字形状を成して内側から外側に出る構造となる。即ち、インクチューブ１３は前記ハウジング２の側面９に対して内面及び外面の両方において沿う状態で延設される。  
従って、インクチューブ１３の前記逆Ｕ字形状部分はハウジング２の側面９を挟む形状となって存在するので、該ハウジング２の前記側面９がインクチューブ１３の支持部材或いは芯材として機能し、当該インクチューブ１３の安定した配設状態を実現することができる。
【００４６】
尚、インクチューブ１３は、前記逆Ｕ字形状を取らずにハウジング２の内側から外側に略直線的に出て、それから下方に延びて前記接続部と接続される構成とすることも可能である。
【００４７】
本実施例において、前記チューブ用貫通部５３は、平面視で、インクチューブ１３の変形可動部３側に前記延設部１３ａの前記想定した場合に占める領域と前記接続部２９との間に位置する。ここでは、インクチューブ１３の変形可動部３側に前記延設部１３ａの「前記想定した場合に占める領域」と「チューブ用貫通部５３」と「接続部２９」の三者は、各境界でオーバーラップした配置で設けられている。  
この構成により、インクチューブ１３の配設がし易いと共に、該インクチューブ１３に無理な姿勢を取らせずに済む効果が得られる。
【００４８】
また、前記インクチューブ１３は、前記変形可動部３の可動側端部３５から前記チューブ用貫通部５３側に延設される部分である第２延設部１３ｂが、平面視で前記変形可動部３を成す第１延設部１３ａの延設方向Ｄに延設させた後、前記軌道修正部４５において前記チューブ用貫通部５３に対応する位置に軌道修正されて延設されている。  
該軌道修正部４５は、本実施例では、インクチューブ１３の配設経路が下方の凸曲面を成すようにその形状が構成されている。これにより、インクチューブ１３に引っ張り力が作用した際に、その引っ張り力の伝達を当該凸曲面の軌道修正部４５の存在によって遮断し、他に伝達する虞を低減している。
【００４９】
本態様によれば、前記軌道修正によってチューブ用貫通部５３をインクチューブ１３が正面からストレートに通って外部に出ることが可能になる。従って、該チューブ貫通部５３に対してインクチューブ１３の配設がし易いと共に、該インクチューブ１３に無理な姿勢をとらせないで済む。
【００５０】
本実施例では、前記チューブ用貫通部５３は、前記インクチューブ１３の該チューブ用貫通部５３を通る部分を前記接続部２９の方向に誘導するガイド構造部６１を備えている。該ガイド構造部６１は、具体的には一例として以下のように構成されている。  
該ガイド構造部６１は、前記チューブ用貫通部５３の下縁５４を成して前記インクチューブ１３を前記ハウジング２の内側から外側に向かって斜め上方に誘導する上方誘導部６３と、前記チューブ用貫通部５３の前記接続部２９側の側縁６８を成して前記インクチューブ１３を前記ハウジング２の内側から外側であって且つ平面視で前記接続部２９の在る方向に向かって斜め側方（誘導方向Ｃ）に誘導する側方誘導部６５とを備えている。
【００５１】
前記上方誘導部６３は、前記チューブ用貫通部５３の前記下縁５４を成す部材としてハウジング２の前記側面９の外面からハウジング２の外側に向けて上り傾斜で突出した板状の部材によって形成されている。この板状部材の上面が前記インクチューブ１３を斜め上方に誘導する上方誘導面６４である。  
また、前記側方誘導部６５は、同じくハウジング２の前記側面９の外面からハウジング２の外側に向けて突出する一例として平面視台形状をした凸状部７５によって形成されている。この凸状部７５の一つの面が開き傾斜に形成されて前記チューブ用貫通部５３の前記側縁６８を成し、且つ前記インクチューブ１３を斜め側方に誘導する側方誘導面６６である。
【００５２】
ガイド構造部６１によって、以下の効果が得られる。即ち、ガイド構造部６１がインクチューブ１３の該チューブ用貫通部５３を通る部分を前記接続部２９の方向に誘導する。従って、インクタンク１１をハウジング２から外した後、再び装着する際に、インクチューブ１３は前記ガイド構造部６１による誘導作用を受けてチューブ収容部６７に収容される。すなわち、ユーザーは、インクタンク１１をハウジング２の所定箇所に装着するだけで、インクチューブ１３は前記上方誘導部６３及び側方誘導部６５の誘導作用によって前記チューブ収容部２内に自動的に収容される。  
これにより、インクチューブ１３をチューブ収容部６７内に押し込むような面倒な作業を減らすことができる。また、チューブ用貫通部５３からチューブ収容部６７の領域においてインクチューブ１３が折れ曲がったり周囲の構造部材に挟み込まれたりする虞を低減することができる。
【００５３】
尚、前記ガイド構造部６１の具体的構造は、上記実施例の「上方誘導部６３（チューブ用貫通部５３の下縁５４を成してインクチューブを斜め上方に誘導）」と「側方誘導部６５（チューブ用貫通部５３の側縁６８を成してインクチューブを斜め側方に誘導）」による構造に限定されない。  
ユーザーがインクタンク１１をハウジング２の所定箇所に装着するだけで、インクチューブ１３がその誘導作用によって前記チューブ収容部２内に自動的に収容される構造であれば種々の変形が可能である。
【００５４】
前記ガイド構造部６１は、本実施例では更に前記チューブ用貫通部５３の前記側方誘導部６５と反対側に設けられ、前記インクチューブ１３が前記側方誘導部６５の誘導方向Ｃと反対側に移動することを規制する第１移動規制部５７を備えている。更に、前記上方誘導部６３と前記側方誘導部６５が作るコーナー部に設けられ、該コーナー部に前記インクチューブ１３が移動することを規制する第２移動規制部５９を備えている。
【００５５】
ここで、第１移動規制部５７は、前記チューブ用貫通部５３の前記側縁６８と反対側の側縁１０に設けられ、複数の凸状リブ５８と移動規制面５６とを備えている。  
また、第２移動規制部５９はブロック状の凸部６０で形成されている。
【００５６】
第１移動規制部５７と第２移動規制部５９を設けたことにより、チューブ用貫通部５３からチューブ収容部６７の領域においてインクチューブ１３が折れ曲がったり周囲の構造部材に挟み込まれたりする虞を一層低減することができる。
【００５７】
本実施例では前記チューブ用貫通部５３から外側に出されたインクチューブ１３の延出方向である誘導方向Ｃは、図３に示すように前記プリンター本体２内でのインクチューブ１３の延設方向Ｄに対して前記チューブ収容部６７側に偏倚した傾斜した方向に設定されている。  
また、前記チューブ用貫通部５３は、プリンター本体２の前記側面９の上部の一部を上方から所定深さ切り欠いた凹部６９と、該凹部６９に対して上方から係脱可能に係合する凹部カバー７１を備えている。
【００５８】
具体的には、前記凹部６９は、図１０に示すように、下部にチューブ用貫通部５３として機能する矩形状の幅広の第１凹部６９Ａが形成されており、該第１凹部６９Ａの上方に矩形状の幅狭の第２凹部６９Ｂが連接されたＬ字形をした凹部によって形成されている。  
また、前記凹部カバー７１は、前記凹部６９の上面の開口を閉塞する一例として平面視矩形状の天板部７１Ａと、該天板部７１Ａの下面から下方に向けて突出する矩形板状の係合板部７１Ｂと、当該凹部カバー７１をプリンター本体２に取り付けるための鉤状の２つの係合爪部７１Ｃ、７１Ｃとを備えている。
【００５９】
一方、前記凹部６９が形成されているプリンター本体２の前記側面９には、前記係合爪部７１Ｃ、７１Ｃに係合する２つの係合受部７３、７３が設けられている。  
そして、前記凹部カバー７１を前記凹部６９に取り付けた状態では、該凹部カバー７１の天板部７１Ａがプリンター本体２の前記側面９の上面とほぼ面一になり、図１０に示すように、凹部カバー７１の係合板部７１Ｂが前記凹部６９の第２凹部６９Ｂに嵌まることで矩形状のチューブ用貫通部５３が構成されている。
【００６０】
また、本発明において使用できるインクチューブ１３は、使用するインクの数に対応した複数本のインクチューブ、例えば１３Ｃ、１３Ｍ、１３Ｙ、１３Ｋが一体に構成された図１１（Ａ）に示すような多連チューブ１３０であってもよいし、使用するインクの数に対応した複数本のインクチューブ、例えば１３Ｃ、１３Ｍ、１３Ｙ、１３Ｋが拘束具１４によって一体化された図１１（Ｂ）に示すような拘束チューブ１３１であってもよい。  
また、本発明において使用できるインクチューブ１３は、使用するインクの数に対応して複数本のインクチューブ、例えば１３Ｃ、１３Ｍ、１３Ｙ、１３Ｋが拘束されずに存在する図１１（Ｃ）に示すような非拘束チューブ１３２であってもよい。  
更に、これら３種類のインクチューブ１３０、１３１、１３２を適宜組み合わせたインクチューブであってもよい。
【００６１】
次に、上記のように構成される本実施例に係るインクジェットプリンター１において、その作用をインクタンク１１の着脱の手順に従って説明する。
【００６２】
（１）インクタンクの装着状態
着脱自在なインクタンク１１がハウジング２の側面９の外面に装着された状態においては、インクチューブ１３のチューブ用貫通部５３からハウジング２の外側に出ている部分は、チューブ収容部６７によって収容される。従って、インクチューブ１３のハウジング２の外部に延出されている部分は、露呈状態ではなくチューブ収容部６７内に収容された状態となり、ユーザーが不用意に触れる虞が低減され、使い勝手が改善されている。
【００６３】
（２）インクタンクの取り外し
インクタンク１１のインクの残量が少なくなってきたら、インクタンク１１をプリンター本体２の側面９から外してインクの補充を行う。  
この場合、インクタンク１１を上方に持ち上げてインクタンク１１の係合フック４９をプリンター本体２の側面９に形成されている係合穴５１から引き抜いて両者の係合を解除する。  
この場合、チューブ収容部６７内に収容されていたインクチューブ１３の長さの範囲でインクタンク１１を移動したり、倒すことができ、インクの補充を行い易い姿勢にしてインクを補充する。
【００６４】
（３）インクタンクの装着
インクタンク１１にインクを補充したら、インクタンク１１を持って、インクタンク１１の係合フック４９をプリンター本体２の側面９に形成されている係合穴５１に合わせて両者を係合状態にすればインクタンク１１の装着が完了する。  
この際、前記チューブ用貫通部５３からハウジング２の外側に延出されたインクチューブ１３は、ガイド構造部６１がインクチューブ１３の該チューブ用貫通部５３を通る部分を前記接続部２９の方向Ｃに誘導するので、インクタンク１１をハウジング２の側面９に装着する際に、インクチューブ１３は前記ガイド構造部６１による誘導作用を受けてチューブ収容部６７に収容される。  
すなわち、ユーザーはインクタンク１１をハウジング２に装着するだけでインクチューブ１３は前記誘導作用によって前記チューブ収容部６７内に自動的に収容される。  
従って、インクチューブ１３をチューブ収容部６７内に押し込むような面倒な作業を減らすことができる。また、チューブ用貫通部５３からチューブ収容部６７の領域においてインクチューブ１３が折れ曲がったり周囲の構造部材に挟み込まれたりする虞を低減することができる。
【００６５】
［他の実施例］
本発明に係る記録装置１は、以上述べたような構成を有することを基本とするものであるが、本願発明の要旨を逸脱しない範囲内の部分的構成の変更や省略等を行うことは勿論可能である。  
例えば、ハウジング２の側面９に形成したチューブ用貫通部５３は、前記の実施例のように凹部６９と凹部カバー７１によって構成することに代えて、前記側面９に形成した穴部やスリット等を利用して構成することも可能である。  
この他、インクタンク１１の位置は、図３に示すようにプリンター本体２の右側の側面９の外側に限らず、プリンター本体２の左側の側面９の外側に設定したり、左右の側面９の外側に振り分けて設定することが可能である。
【符号の説明】
【００６６】
１  インクジェットプリンター（記録装置）、２  ハウジング（プリンター本体）、
３  変形可動部、５  記録ヘッド、７  ヘッドユニット、９  側面、１０  側縁、
１１  インクタンク、１３  インクチューブ、１３０  多連チューブ、
１３１  拘束チューブ、１３２  非拘束チューブ、１３ａ  第１延設部、
１３ｂ  第２延設部、１４  拘束具、１５  スキャナー、１７  給紙口、
１９  排紙口、２１  操作パネル、２３  記録実行領域、２５  ヘッドユニット本体、
２７  アダプター、２９  接続部、３１  Ｕ字反転部、３３  支持部材、
３５  可動側端部（チューブ支持板）、３７  固定ネジ、３９  継手、４１  プラグ、
４３  プラグ、４５  軌道修正部、４７  装着面、４９  係合フック、５１  係合穴、
５３  チューブ用貫通部、５４  下縁、５６  移動規制面、５７  第１移動規制部、
５８  凸状リブ、５９  第２移動規制部、６０  ブロック状の凸部、
６１  ガイド構造部、６３  上方誘導部、６４  上方誘導面、６５  側方誘導部、
６６  側方誘導面、６７  チューブ収容部、６８  側縁、６９  凹部、
６９Ａ  第１凹部、６９Ｂ  第２凹部、７１  凹部カバー、７１Ａ  天板部、
７１Ｂ  係合板部、７１Ｃ  係合爪部、７３  係合受部、７５  凸状部、
Ｐ  用紙（被記録材）、Ａ  搬送方向、Ｂ  幅方向、Ｃ  誘導方向、Ｄ  延設方向
【図１】
0005948929.tif 000002
【図２】
0005948929.tif 000003
【図３】
0005948929.tif 000004
【図４】
0005948929.tif 000005
【図５】
0005948929.tif 000006
【図６】
0005948929.tif 000007
【図７】
0005948929.tif 000008
【図８】
0005948929.tif 000009
【図９】
0005948929.tif 000010
【図１０】
0005948929.tif 000011
【図１１】
0005948929.tif 000012